(57)【特許請求の範囲】
【請求項１】
本体内に設けられ衣類を収容する乾燥室と、前記乾燥室内の空気の出入口に連通される循環ダクトと、前記循環ダクトを通して前記乾燥室内の空気を循環させる循環ファンと、前記循環ダクトの経路中に介在された蒸発器と凝縮器、及び圧縮機とキャピラリチューブとからなるヒートポンプ機構とを備え、前記ヒートポンプ機構により生成された温風を前記循環ダクトを介して前記乾燥室に供給して乾燥運転を行うものにおいて、
前記循環ダクトから分岐され前記乾燥室と前記蒸発器との間から本体外に通じるように設けられた送風路と、
前記送風路と前記循環ダクトの通路を選択的に開閉するダンパと、
前記循環ダクトの前記蒸発器の反送風路側に位置して設けられた空気取入口と、
前記空気取入口から、前記本体内の空気を取り入れるとともに前記蒸発器を通して前記送風路から本体外に送風する送風ファンと、
前記本体に設けられた外気導入口に連通して配設されたエアフィルタ及び外気導入ファンと、
前記凝縮器を冷却する冷却装置とを具備し、
前記ダンパが前記送風路を開放した状態で、前記外気導入口から前記エアフィルタを通して前記本体内に取り入れられた外気を、前記空気取入口から前記蒸発器及び前記送風路を経て本体外に吐出する空調運転を可能とし、
前記空調運転時、前記冷却装置による前記凝縮器の冷却が行われることを特徴とする衣類乾燥機。
【請求項２】
エアフィルタが、本体前面側に配置されていることを特徴とする請求項１記載の衣類乾燥機。
【請求項３】
外気導入口が、略下向きに開放して形成されていることを特徴とする請求項１又は２記載の衣類乾燥機。
【請求項４】
外気導入ファンは、外気導入口から取り入れられた外気を、空気取入口の方向に指向して送風するようにしたことを特徴とする請求項１乃至３の何れかに記載の衣類乾燥機。
【発明の詳細な説明】
【技術分野】
【０００１】
本発明は、ヒートポンプ機構を熱源として生成した温風を循環させて衣類を乾燥する衣類乾燥機に関する。
【背景技術】
【０００２】
ヒートポンプ機構を有する衣類乾燥機は、衣類を収容する乾燥室の空気を、ヒートポンプ機構の蒸発器と凝縮器が配置された空気循環路を通して循環させている。この際、蒸発器で空気の冷却及び除湿を行うとともに凝縮器で空気の加熱を行い、温風化して乾燥室に送り込んでいる。また、乾燥室に送り込まれた温風は、衣類から水分を奪った後、空気循環路に戻される。衣類乾燥機は、このような動作を繰り返して衣類の乾燥を行っている。
【０００３】
近年、このような衣類乾燥機において、上記ヒートポンプ機構を利用して、衣類乾燥機が設置された洗面室などのスペースの空調、特には冷房を行うことが考えられている。例えば、空気循環路を蒸発器と凝縮器との間の部分で遮断して、本体外の空気（外気）を本体の適宜の隙間などから空気循環路に吸入し、この外気を送風ファンによって蒸発器を通して冷却し、この冷却された外気を本体前面から本体外に送風して空調を行うといった構成が考えられている（例えば、特許文献１参照）。
【０００４】
しかし、本体内に吸入される外気には、粉塵や埃などの異物が含まれていると考えられる。そして、上記した構成の衣類乾燥機は、冷房運転時に、吸入された外気を、直接空気循環路内の蒸発器のフィンに接触させて熱交換を行い、冷却する構成となっている。
従って、冷房運転時、外気に含まれる異物が蒸発器のフィンに付着し、この異物が次第に蓄積してしまうおそれがある。これにより、蒸発器のフィン表面と空気との接触面積が減少して熱交換性能が低下してしまう。また、異物の存在により流路抵抗が増加し、風量の低下や騒音の増加といった性能低下に繋がる問題が発生してしまう。
このような問題を解決する従来技術として、一般的には、外気を吸入する部分にフィルタなどを設けて異物を捕獲する構成が考えられる（例えば、特許文献２参照）。
【特許文献１】特許第３３３０７８９号公報
【特許文献２】特許第３６２５８２０号公報
【発明の開示】
【発明が解決しようとする課題】
【０００５】
しかしながら、上記従来技術は、外気が取り込まれる取込口から本体外に排出されるまで専用の通風路が形成されていることを前提としており、外気から異物を捕獲するフィルタを取込口に設けることは容易である。一方、前述した構成の衣類乾燥機は、空調運転時、外気が本体の適宜の隙間から本体内に取り込まれる構成となっている。このような構成のものに、上記従来技術を適用しようとしても、これら隙間の全てにフィルタを設けることは難しく、現実的な解決策であるとは言えない。
【０００６】
本発明は、上記問題点を解決するために、本体内に吸入された外気をヒートポンプ機構を利用して本体外に送風し空調を行うものにおいて、外気に含まれる異物の影響によって、熱交換性能を低下させることなく、且つ流路抵抗の増加を抑えることが可能な衣類乾燥機を提供することを目的とする。
【課題を解決するための手段】
【０００７】
上記目的を達成するために、本発明の衣類乾燥機は、本体内に設けられ衣類を収容する乾燥室と、前記乾燥室内の空気の出入口に連通される循環ダクトと、前記循環ダクトを通して前記乾燥室内の空気を循環させる循環ファンと、前記循環ダクトの経路中に介在された蒸発器と凝縮器、及び圧縮機とキャピラリチューブとからなるヒートポンプ機構とを備え、前記ヒートポンプ機構により生成された温風を前記循環ダクトを介して前記乾燥室に供給して乾燥運転を行うものにおいて、前記循環ダクトから分岐され前記乾燥室と前記蒸発器との間から本体外に通じるように設けられた送風路と、前記送風路と前記循環ダクトの通路を選択的に開閉するダンパと、前記循環ダクトの前記蒸発器の反送風路側に位置して設けられた空気取入口と、前記空気取入口から、前記本体内の空気を取り入れるとともに前記蒸発器を通して前記送風路から本体外に送風する送風ファンと、前記本体に設けられた外気導入口に連通して配設されたエアフィルタ及び外気導入ファンと、前記凝縮器を冷却する冷却装置とを具備し、前記ダンパが前記送風路を開放した状態で、前記外気導入口から前記エアフィルタを通して前記本体内に取り入れられた外気を、前記空気取入口から前記蒸発器及び前記送風路を経て本体外に吐出する空調運転を可能とし、前記空調運転時、前記冷却装置による前記凝縮器の冷却が行われることを主たる特徴とする。
【発明の効果】
【０００８】
上記手段によれば、空調運転時、本体外の空気（外気）は、エアフィルタによって異物が除去された後、本体内に導入され循環ダクト内に取り込まれる。このため、蒸発器に異物が付着して蓄積してしまうことがない。従って、熱交換性能を低下させることなく、且つ流路抵抗の増加を抑えることが可能な衣類乾燥機を提供できる。
【発明を実施するための最良の形態】
【０００９】
（第１の実施の形態）
以下、本発明を洗濯機能を有するドラム式洗濯乾燥機に適用した第１実施例について、図１及び図２を参照して説明する。
図１及び図２は、上記ドラム式洗濯乾燥機の全体構成を示す縦断側面図であり、図１は空調運転としての冷房運転時の状態、図２は乾燥運転時の状態を示している。洗濯乾燥機の外郭を形成する本体１の前面板１ａには、洗濯物を出し入れするための投入口２が形成されるとともに、この投入口２を開閉可能にするドア３が配置されている。また、本体１の底面板の隅部には床面設置用の支持脚４が設けられている。
【００１０】
本体１の内部には、実質的に無孔状の水槽５が設けられており、この水槽５内には、周壁に多数の透孔６ａを有し横軸周りに回転可能なドラム６が同心状に配設されている。これら水槽５及びドラム６は、何れも前側（図１中、左側）が開放された有底円筒状をなしている。水槽５は、複数のサスペンション７（１つのみ図示）によって本体１内に弾性支持されており、これにより、水槽５及びドラム６は、これらの開口部８、９が投入口２と対向するように、且つ若干前上がりの傾斜状態に支持されている。また、投入口２と水槽５の開口部８との間には、弾性的に伸縮可能なベローズ１０が水密に連結され、且つドア３の裏面に密接して水槽５側から本体１内外への水の漏洩などを防止している。
【００１１】
また、ドラム６の胴部の内面には洗濯物をかき上げるための複数のバッフル６ｂが設けられている。ドラム６は、回転駆動されることで洗いやすすぎの他、脱水及び乾燥用として使用される。また、ドラム６に設けられた透孔６ａは、洗い、すすぎ及び脱水時には通水用の孔として機能し、乾燥時には通風用の孔として機能する。また、ドラム６には、開口部９の周囲に例えば液体封入形の回転バランサ１１が設けられている。
【００１２】
一方、水槽５の背面部中央にはモータ１２が配設されている。モータ１２は、例えばアウタロータ形のブラシレスＤＣモータであり、これのロータに連結された回転軸１３は水槽５内に挿通されており、その先端部にドラム６が直結されている。従って、モータ１２が通電駆動されると、モータ１２のロータと連動してドラム６がダイレクトに回転される。
【００１３】
また、水槽５底部の後方最下部には排水口５ａが形成されており、この排水口５ａには、途中に排水弁１４を介した排水管１５の一端側が連通して接続されている。排水管１５の他端側は本体１から外部に導出されており（図示せず）、これにより、水槽５内の水を、本体１外の所定排水場所に排水可能としている。
【００１４】
前記ドラム６の後側の端面部には、ドラム６の中心と同心の環状配置となるように、複数の温風導入口１６が形成されている。これに対して、水槽５には、後側の端面部の上部に、温風導入口１６の回転軌跡に対向するように温風入口５ｂが形成され、前側の端面部の上部に温風出口５ｃが形成されている。
【００１５】
水槽５の下方である本体１の底面板上には、台板１７が配置され、この台板１７上には熱交換ダクト１８が配置されている。熱交換ダクト１８の前端上部には吸込口１９が設けられており、この吸込口１９は、伸縮継手２０及び排気ダクト２１を介して、水槽５の温風出口５ｃに接続されている。一方、熱交換ダクト１８の後端部には、循環ファン装置２２のケーシング２３が連設されており、このケーシング２３の出口部２４は、伸縮継手２５及び給気ダクト２６を介して、水槽５の温風入口５ｂに接続されている。このようにして、水槽５の後側の温風入口５ｂと、前側の温風出口５ｃとの間を水槽５の下方に迂回させて連通された循環ダクト２７が構成されている。
【００１６】
循環ファン装置２２は、この場合、遠心ファン形であり、ケーシング２３の内部に循環ファン２８を有している。また、ケーシング２３の外部には、循環ファン２８を回転させるモータ２９が設けられている。図２に示す乾燥運転時には、循環ファン装置２２が駆動されることにより、循環ダクト２７内に矢印Ａで示す方向に流れる循環空気が生成される。
【００１７】
循環ダクト２７中、熱交換ダクト１８の内部において、前部には蒸発器３０が配置されており、後部には凝縮器３１が配置されている。これら蒸発器３０及び凝縮器３１と、熱交換ダクト１８外に並設された圧縮機３２及び図示しないキャピラリチューブ（絞り）とからヒートポンプ機構が構成されている。ヒートポンプ機構は、周知のように、圧縮機３２が作動することによって、ヒートポンプ機構に封入された冷媒が、凝縮器３１、キャピラリチューブ（絞り）、及び蒸発器３０の順に循環する冷凍サイクルからなっている。
【００１８】
熱交換ダクト１８に介在された蒸発器３０及び凝縮器３１は、何れも詳しくは図示しないが、多数の伝熱用フィンと冷媒流通用のチューブとが交差状に配設されて構成されるものである。そして、循環ダクト２７内を流れる循環空気が伝熱用フィンの間を通るようになっており、熱交換によって、この循環空気が加熱又は冷却されるようになっている。すなわち、ヒートポンプ機構は、循環空気を加熱する加熱源、又は循環空気を冷却する冷却源として機能する（後述の作用説明参照）。
【００１９】
熱交換ダクト１８の蒸発器３０が配設された下面側には、除湿水を本体１外に排出するための除湿水排出口３３が形成されている。この除湿水排出口３３には、途中に図示しない開閉弁を介した除湿水排出管３４の一端側が連通して接続されている。除湿水排出管３４の他端側は水槽５の排水管１５と合流して（図示せず）本体外に導出されている。なお、上記開閉弁は下方に配置された熱交換ダクト１８内に水が逆流し浸入しないように、洗い、すすぎ及び脱水運転時では閉鎖状態にあり、乾燥運転時に開放動作するよう制御される。
【００２０】
熱交換ダクト１８の前端部分には、前記吸込口１９と分岐するように送風口３５が形成されている。熱交換ダクト１８は、この送風口３５を介して、それより前方の本体１前下部に形成された送風路３６に連通されている。送風路３６は、その上部が本体１外の上方に向けて開口されており、本体１外に通じている。
送風路３６内には、空調用の送風装置３７が配置されている。この送風装置３７は、この場合、横流ファン形であり、多数の長尺状翼片が円筒状に配列されてなる送風ファン３８が送風路３６内部に配置され、その送風ファン３８を回転させるモータ（図示せず）が送風路３６の外部に並設されている。
【００２１】
また、送風口３５は、循環ダクト２７におけるドラム６と蒸発器３０との間の前記吸込口１９と連通していて、その連通部分にはダンパ３９が設けられている。ダンパ３９は、上端部が支軸４０により前後に回動可能に支持され、モータ或いは電磁石（何れも図示せず）など駆動源の動力により回動されて、熱交換ダクト１８の吸込口１９の通路閉鎖、開放の切換えを行い、同時に送風口３５の開放、閉鎖の切換えを行う風路切換装置として機能するようになっている。
【００２２】
一方、循環ダクト２７における蒸発器３０と凝縮器３１との間の熱交換ダクト１８の中間部の上壁には、本体１内における循環ダクト２７外の空気を熱交換ダクト１８内に吸入するための空気取入口４１が形成されている。なお、図示しないが、凝縮器３１の直上部には冷却装置が設けられている。この冷却装置は、例えば水をシャワー状に散水することによって凝縮器３１を冷却するようになっている。熱交換ダクト１８の凝縮器３１が配設された下面側には、排水管１５に連通された排出口が設けられており（図示せず）、冷却に使用された水は、この排出口から排水管１５を通って本体外に排出されるようになっている。
【００２３】
本体１内の前下部において、送風路３６の下方には、図１中、下方に向けて開放された外気導入口４２が設けられている。外気導入口４２の上方には、これと対向するように、送風ファン３８と同程度の風量を出力可能な外気導入ファン４３が設けられており、外気導入口４２と外気導入ファン４３とは、直線状のダクト４４で一体的に構成されている。
【００２４】
ダクト４４内には、ダクト４４内の空気の流れを遮るように外気導入口４２と対向してエアフィルタ４５が配置されている。このエアフィルタ４５は、網目状のフィルタ体４５ａを、取手を有するフレーム４５ｂに取り付けて構成されている。このエアフィルタ４５がダクト４４内に挿入された状態では、フレーム４５ｂの取手部分が本体１の前面板１ａから若干突出するようになっている。このような構成により、エアフィルタ４５は、本体１の前方から着脱することが可能となっている。
【００２５】
また、外気導入口４２は、ダクト４４を介して本体１内に連通されており、外気導入ファン４３が運転されることにより、本体１外の空気が、エアフィルタ４５を介して本体１内に導入されるようになっている。
【００２６】
本体１内の上部には、洗濯乾燥機の制御に必要な電源系の制御部４６及び表示系の制御部４７と、水槽５内に給水するための給水弁４８、給水ケース４９、及び給水ホース５０が配設されている。
【００２７】
次に、上記構成のドラム式洗濯乾燥機の作用について説明する。
上記した構成の洗濯乾燥機によって、洗濯を行う場合について説明する。標準的な運転コースが開始されると、最初に洗濯（洗い及びすすぎ）運転が開始される。この洗濯運転では、給水弁４８にて水槽５内に給水する動作が行われ、続いて、モータ１２が駆動されることにより、ドラム６が低速で正逆両方向に交互に回転される。
洗濯運転が終了すると、続いて脱水運転が開始される。この脱水運転では、水槽５内の水を排出した後、ドラム６を高速で一方向に回転させる動作が行われる。これにより、ドラム６内の洗濯物は遠心脱水される。
【００２８】
脱水運転が終了すると、続いて乾燥運転が実行される。この場合、図２に示すように、ダンパ３９は、熱交換ダクト１８の吸込口１９を開放させるとともに、送風口３５を閉鎖させるような位置にセットされる。この状態で、ドラム６を低速で正逆両方向に回転させつつ、循環ファン装置２２のモータ２９を駆動させる。すると、遠心形の循環ファン２８の送風作用によって、水槽５内の空気が温風出口５ｃから循環ダクト２７の排気ダクト２１及び伸縮継手２０を経て熱交換ダクト１８内に流入される。
【００２９】
また、同時にヒートポンプ機構の圧縮機３２の運転が開始される。これにより、ヒートポンプ機構のチューブに封入された冷媒が圧縮されて高温高圧の冷媒となり、その高温高圧の冷媒が凝縮器３１に流れて、熱交換ダクト１８内の空気と熱交換する。その結果、熱交換ダクト１８内の空気が加熱され、反対に冷媒の温度は低下して液化される。この液化された冷媒がキャピラリチューブを通過して減圧された後、蒸発器３０に流入して気化される。この際、蒸発器３０内の冷媒が気化熱を奪うことによって、熱交換ダクト１８内の空気が冷却される。そして、蒸発器３０を通過した冷媒は圧縮機３２に戻る。
【００３０】
このようなヒートポンプ機構の作用によって、水槽５内から熱交換ダクト１８内に流入した空気は、蒸発器３０で冷却されて除湿され、その後に凝縮器３１で加熱されて温風化される。そして、その温風が伸縮継手２５及び給気ダクト２６を経て、温風入口５ｂから水槽５内に供給され、さらに、温風導入口１６からドラム６内に供給される。ドラム６内に供給された温風は洗濯物の水分を奪った後、温風出口５ｃから排気ダクト２１及び伸縮継手２０を経て熱交換ダクト１８内に流入する。
【００３１】
すなわち、図２に実線矢印Ａで示すように、蒸発器３０及び凝縮器３１が介在された熱交換ダクト１８とドラム６との間を空気が循環することにより、ドラム６内の洗濯物が乾燥される。従って、この場合、ドラム６内は乾燥室として機能する。また、乾燥運転中、蒸発器３０では、前述の熱交換ダクト１８内を通る空気の冷却及び除湿が行われることに伴って表面に結露が生じる。この結露により生じた除湿水は、蒸発器３０から下方に流れ、除湿水排出口３３から除湿水排出管３４及び排水管１５を通って本体１外に排出される。
なお、乾燥運転時においても、熱交換ダクト１８に設けられた空気取入口４１は開放されたままであるが、循環ダクト２７内の風路が全体的に閉じられているため、１箇所に開口部分があっても、空気の流れに大きな影響を与えることはない。
【００３２】
続いて、洗濯乾燥機が設置されたスペースの冷房を行う冷房運転（空調運転に相当）を実行する場合について説明する。この場合、図１に示すように、ダンパ３９は、熱交換ダクト１８の送風口３５を開放させるとともに、吸込口１９の通路を閉鎖させるような位置に切換えられる。
【００３３】
この状態で、ヒートポンプ機構の圧縮機３２の運転が開始されるとともに、送風ファン３８及び外気導入ファン４３が駆動されると、外気導入ファン４３の送風作用によって、本体１外の空気が外気導入口４２からエアフィルタ４５を通じて、本体１の内部（循環ダクト２７の外）に吸い込まれる。この際、本体１外の空気に含まれる粉塵や埃などは、エアフィルタ４５によって捕獲されるため、本体１の内部に進入することはない。
【００３４】
本体１内部に吸入された空気は、送風ファン３８の送風作用によって、空気取入口４１から熱交換ダクト１８内に吸い込まれる。熱交換ダクト１８内に吸入された空気は、図１に破線矢印Ｂで示すように、前述した乾燥運転時の空気の流れとは逆の流れで、蒸発器３０を通過して冷却される。冷却された空気は、送風口３５から送風路３６を通って本体１外の前方に向けて吐出され、洗濯乾燥機が設置されたスペースの冷房が行われる。
【００３５】
なお、上述の冷房運転時、冷却装置から凝縮器３１に向けて散水を行い、熱交換が有効に機能しない凝縮器３１の冷却を行っている。つまり、ヒートポンプ機構を安定して動作させるために、蒸発器３０にて冷媒が吸熱した熱量と同等の熱量を凝縮器３１にて放熱させている。
【００３６】
上記実施例によれば、次のような効果を奏する。
外気導入口４２と外気導入ファン４３との間を連結するダクト４４内に、ダクト４４内の空気の流れを遮るようにエアフィルタ４５を配置したので、冷房運転を行う際、本体１外の空気は、エアフィルタ４５を通ってから本体１内に吸い込まれる。つまり、本体１外の空気に粉塵や埃などの異物が含まれていた場合であっても、異物はエアフィルタ４５によって除去されるので、本体１の内部、ひいては循環ダクト２７の内部への異物の進入を防止できる。
【００３７】
これにより、本体１外から供給された空気が、ヒートポンプ機構の蒸発器３０を通って冷却される際、蒸発器３０の伝熱フィンに異物が付着して蓄積されることがなくなり、伝熱フィン表面と空気との接触面積が低下することなく、効率のよい熱交換を行うことができる。また、異物によって流路抵抗が増加されることがないため、本体１内及び循環ダクト２７内の空気の流れがスムーズになる。従って、十分な風量で冷風を吐出することができるとともに、外気を本体１内に取り込む際に発生する騒音を抑えることができる。
【００３８】
ところで、洗濯乾燥機の本体１には、図示しない隙間が多数存在している。冷房運転時、これら隙間から本体１外の空気が本体１内に吸い込まれた場合、この空気は、エアフィルタ４５を通過していないため、異物を含んだままの状態で本体１内に供給されることになってしまう。そこで、本実施例の洗濯乾燥機は、外気導入ファン４３の送風作用によって、積極的に外気導入口４２から本体１外の空気を取り込む構成としたので、本体１内に取り込まれる空気の多くがエアフィルタ４５を通過することになり、異物を除去することができる。
【００３９】
さらに、外気導入ファン４３を、送風ファン３８と同程度の風量を出力可能なものとしたので、外気導入ファン４３の送風作用によって本体１内に吸い込む本体１外の空気の量と、送風ファン３８の送風作用によって本体１外に吐き出す空気の量を、概ね一致させることが可能となる。従って、上記した多数の隙間から吸い込まれる本体１外の空気は極めて少なくなり、本体１内に供給される本体１外の空気のほとんどがエアフィルタ４５を通過して異物が除去された状態となり、前述したような効果を確実に得ることができる。
【００４０】
また、外気導入口４２を下方に向けて開放させて形成するとともに、外気導入口４２と外気導入ファン４３とを対向して位置させて、これらを連結するダクト４４を、屈曲部分の無い直線形状とした。これにより、外気導入口４２から吸い込まれた本体１外の空気が外気導入ファン４３に対して真っ直ぐに且つスムーズに流れるため、さらに流路抵抗が少なくなる。従って、外気導入ファン４３に、出力容量の比較的小さいものを使用した場合においても、十分な風量を確保することができる。加えて、乾燥運転時の循環ファン２８の運転や、冷房運転時の送風ファン３８及び外気導入ファン４３の運転に伴って本体１内で発生する音の漏れが下向きになり、本体１の前面に放射されにくくなるため、騒音を低減できる。
【００４１】
また、エアフィルタ４５は、本体１の前方から着脱可能に挿入して配置するようにし、挿入状態では、フレーム４５ｂの取手部分が本体１の前面板１ａより若干突出するようにした。これにより、使用者が、洗濯乾燥機の前方から容易にフレーム４５ｂの取手部分を持って、エアフィルタ４５の出し入れを行うことができるため、メンテナンス性が向上する。
【００４２】
（第２の実施の形態）
次に、本発明の第２実施例について図３を参照して説明する。
なお、図１及び図２と同一の部分については同一符号を付して説明を省略し、以下異なる部分のみ説明する。図３は、第１実施例における図１相当図であり、冷房運転時の状態を示している。
本体１内の前下部において、外気導入ファン４３は、空気取入口４１と略同じ高さ位置に設けられるとともに、その吐出方向を空気取入口４１に指向するように横方向に向けて配置されている。また、ダクト５１は、本体１の下面側に形成された外気導入口４２から外気導入ファン４３の配設された位置まで延設され、これらを一体的に構成している。
【００４３】
これにより、冷房運転時、外気導入ファン４３の送風作用によって、外気導入口４２からエアフィルタ４５を通過して吸入された本体１外の空気が、図３に実線矢印Ｃで示すように、空気取入口４１に向けて送風されるようになっている。つまり、冷房運転時、本体１外から吸入された空気が、本体１内に滞在しにくいような構成になっている。なお、本体１内に滞在している空気は、圧縮機３２の発熱などによって加熱されるため、本体１外の空気と比べて比較的高温になっていることが多い。
【００４４】
そこで、本実施例の洗濯乾燥機は、冷房運転時、本体１外の取り込んだ空気を積極的に空気取入口４１に向けて送風するようにした。これにより、比較的高温になっている本体１内に滞在した空気が、空気取入口４１から熱交換ダクト１８へ取り込まれる割合が減少するとともに、比較的低温の本体１外の空気がより多く取り込まれる。従って、冷房運転では、第１実施例と同様に蒸発器３０を有効利用して行うのであるが、その蒸発器３０では、この比較的低温の空気を冷風化するため、同じ温度の冷風を生成するのに必要なヒートポンプ機構の容量を低減させることができ、冷房性能の向上を図ることができる。
【００４５】
なお、本発明は上記し且つ図面に記載した各実施例に限定されるものではなく、次のような変形又は展開が可能である。
外気導入口４２は、下向き開放に代えて前方に向けて開放させる形状としてもよい。
外気導入ファン４３に、送風装置３７よりも出力容量の大きなものを用いてもよい。そうすれば、冷房運転時、本体１の内圧が高まり、隙間から外気が取り込まれることがほとんどなくなり、エアフィルタ４５による効果をより一層確実に得ることができる。
エアフィルタ４５は、着脱可能でなくとも本体１の前方から掃除可能であればよい。
【００４６】
洗濯乾燥機としては、水槽及び回転槽（ドラム６に相当）が縦軸状に配置される縦軸形であってもよい。
また、循環ダクト２７の具体構成や循環空気の流れ方向など、実施に際して本発明の要旨を逸脱しない範囲で具体的に適宜変更して実施可能である。
【図面の簡単な説明】
【００４７】
【図１】本発明の第１実施例を示すドラム式洗濯乾燥機の冷房運転時の縦断側面図
【図２】乾燥運転時の縦断側面図
【図３】本発明の第２実施例を示す図１相当図
【符号の説明】
【００４８】
図面中、６はドラム（乾燥室）、２２は循環ファン装置、２７は循環ダクト、２８は循環ファン、３０は蒸発器、３１は凝縮器、３２は圧縮機、３６は送風路、３７は送風装置、３８は送風ファン、３９はダンパ、４１は空気取入口、４２は外気導入口、４３は外気導入ファン、４５はエアフィルタを示す。
【図１】
0004791881.tif 000002
【図２】
0004791881.tif 000003
【図３】
0004791881.tif 000004